(57)【特許請求の範囲】
【請求項１】
作業者によって保持される、製鉄ダストを吸引するための吸引車用吸引ノズルであって、
吸引車から延びる吸引ホースに接続された吸引管と、
該吸引管の内部に水を供給する水供給ホースが接続され、前記吸引管から該水供給ホースが接続される側の後端部に向かうに従って、該吸引管の中心軸から離れるように延びる水供給管と、
前記吸引管の外周面から延びる棒状の取手支持部材と、
前記取手支持部材に固定され、作業者が掴む取手と、を備え、
前記吸引管の後端側から見て、前記取手支持部材と前記水供給管とのなす角θが、１００〜１３５度であり、
前記取手が、脇に前記吸引ホースを抱えて吸引作業を行う際に、前記作業者の該吸引ホースを抱えた側とは反対の側に位置する吸引車用吸引ノズル。
【請求項２】
請求項１記載の吸引車用吸引ノズルにおいて、
前記吸引管の外周面に、外周方向に沿って突出した突出部が間隔を空けて複数設けられている吸引車用吸引ノズル。
【請求項３】
請求項１又は２記載の吸引車用吸引ノズルを用いた製鉄ダストの回収方法であって、
前記水供給管が前記吸引管の後端側から見て真上よりも外側に位置するように一方の手で前記取手を掴み、該取手を掴んだ側とは反対の側の脇に前記吸引ホースを抱え、しゃがんだ状態で移動しながら前記製鉄ダストを吸引する製鉄ダストの回収方法。
【発明の詳細な説明】
【技術分野】
【０００１】
本発明は、吸引車用吸引ノズル及び製鉄ダストの回収方法に関する。
【背景技術】
【０００２】
特許文献１には、空気流を発生させる真空ポンプと、この真空ポンプを運転駆動させる動力装置と、吸入されてきた空気から粉塵を除去させるセパレータ、真空ポンプの吸引力を増大させるために供給された補給水を分離させる水切装置および該水切装置にて水切りされた空気を消音して大気に吐出させる吐出サイレンサを有する空気清浄装置を車体フレーム上にコンパクトにまとめて搭載装備させるとともに、空気清浄装置のセパレータ、真空ポンプ、空気清浄装置の水切り装置および吐出サイレンサを順次直列に接続させて空気輸送機構を構成した真空吸引車が記載されている。
【先行技術文献】
【特許文献】
【０００３】
【特許文献１】特開平７−２３０４号公報
【発明の概要】
【発明が解決しようとする課題】
【０００４】
ここで、吸引車から延びる吸引ホースの先端には、筒状の吸引ノズルが取り付けられ、製鉄所から排出された製鉄ダストの回収に用いられている。
しかしながら、製鉄ダストは水分を含むと粘土状になり、従来の吸引ノズルでは、作業性に問題があった。
本発明は、作業性に優れた吸引車用吸引ノズル及び製鉄ダストの回収方法を提供することを目的とする。
【課題を解決するための手段】
【０００５】
請求項１に記載の発明は、作業者によって保持される、製鉄ダストを吸引するための吸引車用吸引ノズルであって、吸引車から延びる吸引ホースに接続された吸引管と、該吸引管の内部に水を供給する水供給ホースが接続され、前記吸引管から該水供給ホースが接続される側の後端部に向かうに従って、該吸引管の中心軸から離れるように延びる水供給管と、
前記吸引管の外周面から延びる棒状の取手支持部材と、前記取手支持部材に固定され、作業者が掴む取手と、を備え、前記吸引管の後端側から見て、前記取手支持部材と前記水供給管とのなす角θが、１００〜１３５度であり、前記取手が、脇に前記吸引ホースを抱えて吸引作業を行う際に、前記作業者の該吸引ホースを抱えた側とは反対の側に位置する吸引車用吸引ノズルである。
【０００６】
請求項２に記載の発明は、請求項１記載の吸引車用吸引ノズルにおいて、前記吸引管の外周面に、外周方向に沿って突出した突出部が間隔を空けて複数設けられている。
【０００７】
【０００８】
【０００９】
請求項３に記載の発明は、請求項１又は２記載の吸引車用吸引ノズルを用いた製鉄ダストの回収方法であって、前記水供給管が前記吸引管の後端側から見て真上よりも外側に位置するように一方の手で前記取手を掴み、該取手を掴んだ側とは反対の側の脇に前記吸引ホースを抱え、しゃがんだ状態で移動しながら前記製鉄ダストを吸引する製鉄ダストの回収方法である。
【発明の効果】
【００１０】
本発明によれば、作業性に優れた吸引車用吸引ノズル及び製鉄ダストの回収方法を提供できる。
【図面の簡単な説明】
【００１１】
【図１Ａ】本発明の一実施の形態に係る吸引車用吸引ノズルの斜視図である。
【図１Ｂ】同吸引車用吸引ノズルの第１の側面図である。
【図１Ｃ】図１Ｂに示した第１の側面図とは異なる角度から見た同吸引車用吸引ノズルの第２の側面図である。
【図１Ｄ】同吸引車用吸引ノズルの後端側から見た底面図である。
【図２】同吸引車用吸引ノズルを用いた製鉄ダストの回収作業を示す説明図である。
【００１２】
続いて、添付した図面を参照しつつ、本発明を具体化した実施の形態につき説明し、本発明の理解に供する。なお、図において、説明に関連しない部分は図示を省略する場合がある。
【００１３】
本発明の一実施の形態に係る吸引車用吸引ノズル１０（図１Ａ参照）は、吸引車（不図示）から延びる吸引ホース１２（図２参照）の先端に取り付けられ、製鉄所から排出された製鉄ダスト１４を回収するために用いられる。
ここで、吸引車は、粉粒体や液体を深所や遠距離から吸い込んで回収するための車輌である。なお、吸引車は、パワープロベスターや吸引作業車などと呼ばれる場合がある。
【００１４】
吸引車用吸引ノズル１０は、図１Ａ〜図１Ｄに示すように、吸引管２０、水供給管３０、取手支持部材４０及び取手５０を備えている。
【００１５】
吸引管２０は、吸引車から延びる吸引ホース１２（図２参照）に接続される円筒状の部材である。
吸引管２０は、図１Ｂ及び図１Ｃに示すように、先端から後端に向かうに従って、徐々に径が小さくなっている。ただし、先端から後端まで外径Ｄ１及び内径Ｄ２がそれぞれ同一の寸法であってもよい。
吸引管２０の外径Ｄ１は例えば６２〜８３ｍｍ、内径Ｄ２は例えば６０〜８０ｍｍ、長さＬ１１は例えば２２０〜２６０ｍｍである。
吸引管２０の外周面には、外周方向に沿って突出した突出部２０２が複数設けられ、それぞれ吸引管２０の先端部から後端部にわたって間隔を空けて設けられている。
吸引管２０の材質は、例えばスチールである。
【００１６】
水供給管３０は、水を供給するための水供給ホース１６（図２参照）が接続され、吸引管２０の内部に水を供給できる。
側面視した際の水供給管３０の長さＬ３２（図１Ｂに示す吸引管２０の中心軸ＡＸ方向の長さ）は、例えば１９０〜２３０ｍｍである。
水供給管３０の先端部は、吸引管２０の中央部側面に接続され、図１Ｃに示すように、この接続部から水供給ホース１６が接続される側の後端部に向かうに従って、吸引管２０の中心軸ＡＸから離れるように湾曲している。
水供給管３０の後端部は、図１Ｂに示すように側面視して、吸引管２０の後端よりもさらに寸法Ｌ２１だけ後端側に位置している。寸法Ｌ２１は、例えば１００〜１２０ｍｍである。なお、後端部には、水供給管３０の中心軸が延びる方向と端面の法線方向とが交差するような切り口が形成されている。
水供給管３０の材質は、例えばスチールである。
【００１７】
取手支持部材４０は、吸引管２０から延び、取手５０を支持するための棒状の部材である。
側面視した際の取手支持部材４０の長さＬ２２は、例えば１９０〜２３０ｍｍである。
取手支持部材４０の一方の側は、吸引管２０の中央部にて、水供給管３０よりも寸法Ｌ３３だけ後端側に溶接され、吸引管２０の側から取手５０を支持する後端側に向かうに従って、吸引管２０の中心軸ＡＸから離れるように湾曲している。寸法Ｌ３３は、例えば１０〜３０ｍｍである。
取手支持部材４０の他方の側は、図１Ｂに示すように側面視して、吸引管２０の後端よりもさらに寸法Ｌ３１だけ後端側に位置している。寸法Ｌ３１は、例えば１３０〜１７０ｍｍである。
また、図１Ｄに示すように吸引車用吸引ノズル１０を後端側から見た場合、取手支持部材４０の中心軸と水供給管３０の中心軸とがなす角θは、例えば、１００〜１３５度である。
取手支持部材４０の材質は、例えばスチールである。
【００１８】
取手５０は、図１Ｃに示すように、吸引管２０の径方向と実質的に直交方向に延びる棒状の部材であり、作業者の持ち手として機能する。
取手５０は、中央部が取手支持部材４０に固定され、脇に吸引ホース１２を抱えて吸引作業を行う際に、作業者の吸引ホース１２を抱えた側とは反対の側の胸元に位置するように配置される。
取手５０の寸法Ｌ４１は、例えば１００〜１４０ｍｍである。なお、寸法Ｌ４１が１００ｍｍ未満であると、把手として掴んだ際に安定感に欠け、１４０ｍｍを超えると回収作業の妨げとなりうる。
取手５０の材質は、例えばスチールである。
【００１９】
次に、吸引車用吸引ノズル１０を用いた製鉄ダスト１４の回収方法（吸引車用吸引ノズル１０の使用方法）について説明する。製鉄ダスト１４は、以下に示すステップＳ１〜Ｓ４に従って回収される。
【００２０】
（ステップＳ１）
作業者が、吸引車用吸引ノズル１０に吸引ホース１２（図２参照）を接続するとともに、水供給管３０に水供給ホース１６を接続し、吸引作業の準備を行う。
本吸引車用吸引ノズル１０によれば、図１Ｃに示すように、吸引管２０の外周面に突出部２０２が形成されているため、突出部２０２が形成されていない場合と比較して高い摩擦力が生じ、接続された吸引ホース１２が容易に外れてしまうことが抑制される。
【００２１】
（ステップＳ２）
作業者が、吸引車を稼働させる。
【００２２】
（ステップＳ３）
作業者が、図２に示すように、水供給管３０が、吸引管２０の後端側から見て真上よりも外側（作業者側とは反対の側）に位置するように左手で取手５０を掴み、吸引車用吸引ノズル１０又は吸引ホース１２を右脇に抱え、しゃがんだ状態で移動しながら製鉄ダスト１４を吸引する。製鉄ダスト１４は、吸引車による強力な吸引力により回収される。
本吸引車用吸引ノズル１０によれば、取手５０が吸引管２０の後端よりもさらに寸法Ｌ３１だけ後端側に位置し、胸に引きつけて本吸引車用吸引ノズル１０を保持できるため、作業性に優れ、疲労の発生が低減される。
【００２３】
また、図１Ｄに示すように取手支持部材４０と水供給管３０とのなす角θが１００〜１３５度の範囲で設けられているため、なす角θが１００度未満である場合と比較して、吸引管２０を動かす動作を阻害することが抑えられ、なす角θが１３５度を超える場合と比較して、水供給管３０を構造物や床面等に接触させて損傷してしまう可能性が低減される。
【００２４】
ここで、表面の製鉄ダスト１４は乾燥しており、吸引作業が容易であるが、その下にある製鉄ダスト１４は水分を含み、粘土状となっている。粘土状となった製鉄ダスト１４を吸引する場合は、水供給ホース１６から水道水を供給しながら吸引する。
その結果、吸引管２０の内部にて、供給された水道水と吸引された製鉄ダスト１４とが混合され、製鉄ダスト１４の流動性が増加することによって、吸引管２０が詰まってしまうことが抑制される。
【００２５】
（ステップＳ４）
吸引作業を終えた後、作業者が、吸引車用吸引ノズル１０から吸引ホース１２及び水供給ホース１６を取り外し、それぞれ収納する。
【００２６】
以上説明した本実施の形態に係る吸引車用吸引ノズル１０によれば、一方の手で取手５０を掴みながら取手５０を掴んだ側とは反対側の脇に吸引車用吸引ノズル１０又は吸引ホース１２を抱えて移動し、詰まりを抑制しながら粘土状となった製鉄ダスト１４を回収できるので、作業性に優れる。
【００２７】
以上、本発明の実施の形態を説明したが、本発明は、上記した形態に限定されるものでなく、要旨を逸脱しない条件の変更等は全て本発明の適用範囲である。
【符号の説明】
【００２８】
１０  吸引車用吸引ノズル
１２  吸引ホース
１４  製鉄ダスト
１６  水供給ホース
２０  吸引管
３０  水供給管
４０  取手支持部材
５０  取手
２０２  突出部
【要約】
【課題】作業性に優れた吸引車用吸引ノズル及び製鉄ダストの回収方法を提供する。
【解決手段】吸引車用吸引ノズル１０は、製鉄ダスト１４を吸引するための吸引車用吸引ノズルであって、吸引車から延びる吸引ホース１２に接続された吸引管２０と、吸引管２０の内部に水を供給する水供給ホース１６が接続される水供給管３０と、を備える。水供給管３０は、吸引管２０から水供給ホース１６が接続される側に向かうに従って、吸引管２０の中心軸から離れるように延びている。
【選択図】図１Ａ【図１Ａ】
0006967809.tif 000002
【図１Ｂ】
0006967809.tif 000003
【図１Ｃ】
0006967809.tif 000004
【図１Ｄ】
0006967809.tif 000005
【図２】
0006967809.tif 000006